(57)【要約】【課題】  各部材の固定を簡単にするとともに、木質材料などの金属以外の材料を使用することのできる法面設置用階段を提供する。【解決手段】  法面に刺し込んで固定される支持部材１，２にステップ３を取り付けて構成されている。ステップは、幅方向に適宜間隔で配置された二以上のステップ基部６と、このステップ基部によって支持されてなるステップ面部７とで構成されている。ステップ基部は、ステップの奥行き方向に所定長さを有するステップ面当接部６１と、ステップ面当接部の両端に設けられた立設部６２および垂下部６４と、これらに穿設された貫通孔６４，６５とで構成されている。取付部材４，５により、支持部材に立設部または垂下部を取り付けて階段を構成する。【選択図】  図１
2006214122.tif 000002
【特許請求の範囲】
【請求項１】
法面に刺し込んで固定される支持部材と、この支持部材によって支持されるステップと、このステップを上記支持部材に取り付けるための取付部材とで構成された法面設置用階段であって、上記ステップは、該ステップの幅方向に適宜間隔で配置された二以上のステップ基部と、このステップ基部によって支持されてなるステップ面部とからなるステップであり、上記ステップ基部は、上記ステップの奥行き方向に所定長さを有するステップ面当接部と、このステップ面当接部の一端を上向きに折曲してなる立設部と、該ステップ面当接部の他端を下向きに折曲してなる垂下部と、上記立設部および垂下部のそれぞれに設けられた少なくとも１個の貫通孔とで構成されており、上記支持部材は、上下方向に整列してなる複数の貫通孔が設けられた支持部材であり、上記取付部材は、上記立設部または垂下部の貫通孔と支持部材の貫通孔とを同時に挿通する取付部材であることを特徴とする法面設置用階段。
【請求項２】
法面に刺し込んで固定される支持部材と、この支持部材によって支持されるステップと、このステップを上記支持部材に取り付けるための取付部材とで構成された法面設置用階段であって、上記ステップは、該ステップの幅方向に適宜間隔で配置された二以上のステップ基部と、このステップ基部によって支持されてなるステップ面部と、このステップ面部を上記ステップ基部に装着するための装着部材とからなるステップであり、上記ステップ基部は、上記ステップの奥行き方向に所定長さを有するとともに、長手方向に整列して設けられた複数の貫通孔を有するステップ面当接部と、このステップ面当接部の一端を上向きに折曲してなる立設部と、該ステップ面当接部の他端を下向きに折曲してなる垂下部と、上記立設部および垂下部のそれぞれに設けられた少なくとも１個の貫通孔とで構成され、上記ステップ面部には、上記ステップ面当接部に設けられる複数の貫通孔のいずれかに連続する貫通孔が設けられ、上記装着部材は、上記ステップ面当接部の貫通孔およびステップ面部の貫通孔を同時に挿通する装着部材であり、上記支持部材は、上下方向に整列してなる複数の貫通孔が設けられた支持部材であり、上記取付部材は、上記立設部および垂下部の貫通孔ならびに支持部材の貫通孔を同時に挿通する取付部材であることを特徴とする法面設置用階段。
【請求項３】
前記装着部材および取付部材は、貫通ボルトおよびこれに螺合するナットで構成されてなる装着部材および取付部材である請求項２記載の法面設置用階段。
【請求項４】
前記ステップ面当接部は、断面形状略Ｌ字形に成形され、その片方の平面を上向きにして配置してなるとともに、該平面に複数の貫通孔が長手方向に整列して設けられてなるステップ面当接部である請求項２または３記載の法面設置用階段。
【請求項５】
前記ステップ面部は、所定長さの木質角材を横長にしてなり、前記ステップ面当接部に当接されつつ前記ステップ基部により少なくとも二個所で支持されるとともに、該ステップ面当接部の貫通孔に連続する貫通孔を有してなるステップ面部である請求項１ないし４のいずれかに記載の法面設置用階段。
【請求項６】
法面に刺し込んで固定される支持部材と、この支持部材によって支持されるステップと、このステップを上記支持部材に取り付けるための取付部材と、上記ステップおよび支持部材の間に介在されてなるスペーサとで構成された法面設置用階段であって、上記ステップは、該ステップの幅方向に適宜間隔で配置された二以上のステップ基部と、このステップ基部によって支持されてなるステップ面部と、このステップ面部を上記ステップ基部に装着するための装着部材とからなり、上記ステップ基部は、上記ステップの奥行き方向に所定長さを有するとともに、長手方向に整列して設けられた複数の貫通孔を有するステップ面当接部と、このステップ面当接部の一端を上向きに折曲してなる立設部と、該ステップ面当接部の他端を下向きに折曲してなる垂下部と、上記立設部および垂下部のそれぞれに設けられた少なくとも１個の貫通孔とで構成され、上記ステップ面部は、所定長さの木質角材を横長にして構成されたステップ面部構成部と、このステップ面部構成部を貫通しつつ上記ステップ面当接部の貫通孔のいずれかに連続する貫通孔とで構成され、上記装着部材は、上記ステップ面当接部の貫通孔およびステップ面部の貫通孔を同時に挿通する貫通ボルトと、このボルトに螺合するナットとで構成され、上記支持部材は、上下方向に整列してなる複数の貫通孔が設けられた支持部材であり、上記取付部材は、上記立設部および垂下部の貫通孔ならびに支持部材の貫通孔を同時に挿通する貫通ボルトと、このボルトに螺合するナットとからなる取付部材であり、前記スペーサは、木質角材を横長にして上記ステップ基部の立設部と取付部材との間に介在してなるスペーサであることを特徴とする法面設置用階段。
【請求項７】
前記支持部材は、断面形状略Ｌ字形のアングル材の長手方向を上下にしてなり、少なくとも片面には上下方向に整列してなる複数の貫通孔が設けられた支持部材である請求項１ないし６のいずれかに記載の法面設置用階段。
【発明の詳細な説明】
【技術分野】
【０００１】
本発明は、法面に設置する階段に関し、特に、高速道路などの法面を管理するために使用する階段に関するものである。
【背景技術】
【０００２】
一般的な高速道路等の自動車専用道路や鉄道敷地などは、インターチェンジまたは駅などを除く本線部分を山間部に設けることが多く、このような山間部に高速道路等を構築する場合には、トンネルによって道路等に必要な領域を確保し、また、トンネルを設けることのできない標高の低い山などではその山を切り開き、山岳部の裾野辺りに構築するときにはその山岳部の斜面を切り開いて所定の幅員を確保するなどしていた。そこで、山を切り開きまたは山岳部の斜面を切り開いて高速道路等を構築した場合、当該道路の両側または山頂側に斜状の法面が設けられ、このような法面には、土砂の崩落を回避すべくコンクリートブロックによって壁面を構成するか、または、法面全体にコンクリートを打設するなどの壁面補強工事が行われていた。
【０００３】
このようなコンクリートブロック等を使用する壁面は、山岳部の斜面全体に設けることができず、軟弱地盤の壁面や比較的急勾配の法面において構築されるものであり、強固な地盤の法面や緩斜面の法面にあっては、土砂の崩落に備えた防護壁を道路側部に設けていた。そして、このような法面は定期的に管理する必要があるため、当該法面に沿って登ったり降りたりするための階段が設置されていた。
【０００４】
この種の階段は、地盤が表面に露出しているため、傾斜の角度が一定せず、適宜角度調整が可能であることが必須の要件となり、従来は、ステップの踏み板部の四隅近傍に鋼棒を挿入し得る貫通孔を設け、この貫通孔に鋼棒を挿入しつつ法面の地中に刺し込むことによってそれぞれの踏み板を固定するとともに、連続する踏み板は、支持部材によって連結されて一体的なステップが構築されていた（特許公報１参照）。
【特許文献１】特許第３１３００１０号公報（２−３頁、図３）
【発明の開示】
【発明が解決しようとする課題】
【０００５】
上記に示した従来技術は、図１３に示すように、鋼棒２００が踏み板２０３の上昇を抑えるように配置されるため、それぞれの踏み板２０３が鋼棒２００のみによって独立して固定されるものではなく、専ら踏み板の片側（法面の山頂側）の端部２０３ａが法面Ａの表面上に押さえられることによって、当該片側端部２０３ａが法面Ａに当接しつつその位置が固定されるが、他方側（法面の道路側）の端部２０３ｂは法面Ａから離れ、自由端のような状態となっていた。そこで、他方側端部２０３ｂを支持部材２０２によって下位の踏み板２０３の片側端部２０３ａに連結することにより、当該他方側端部２０３ｂが支持部材２０２を介して下位の踏み板２０３によって支持されることとなり、この他方側端部２０３ｂを所定の高さに維持して、水平な状態で設けられる踏み板２０３が構成されていた。
【０００６】
しかしながら、上記従来技術は、踏み板の四隅に設けた貫通孔に鋼棒を挿通し、これを法面に差し込む必要があるため、個々の踏み板の固定に時間を要することとなっていた。また、階段に強度を与えるためには各部材を金属製材料により構成しなければならず、金属以外の材料で構成された部材を使用することができなかった。
【０００７】
本発明は、上記諸点にかんがみてなされたものであって、その目的とするところは、各部材の固定を簡単にするとともに、木質材料などの金属以外の材料を使用することのできる法面設置用階段を提供することである。
【課題を解決するための手段】
【０００８】
そこで、本発明は、法面に刺し込んで固定される支持部材と、この支持部材によって支持されるステップと、このステップを上記支持部材に取り付けるための取付部材とで構成された法面設置用階段であって、上記ステップは、該ステップの幅方向に適宜間隔で配置された二以上のステップ基部と、このステップ基部によって支持されてなるステップ面部とからなるステップであり、上記ステップ基部は、上記ステップの奥行き方向に所定長さを有するステップ面当接部と、このステップ面当接部の一端を上向きに折曲してなる立設部と、該ステップ面当接部の他端を下向きに折曲してなる垂下部と、上記立設部および垂下部のそれぞれに設けられた少なくとも１個の貫通孔とで構成されており、上記支持部材は、上下方向に整列してなる複数の貫通孔が設けられた支持部材であり、上記取付部材は、上記立設部または垂下部の貫通孔と支持部材の貫通孔とを同時に挿通する取付部材であることを特徴とする法面設置用階段を要旨としている。
【０００９】
上記のような構成とすれば、支持部材を法面に突き刺して垂直な状態で設け、この支持部材に対し、下位のステップを構成するステップ基部の立設部と、上位のステップを構成するステップ基部の垂下部とを、それぞれ取り付けることにより、相隣接して配置されるステップの端部を同時に支持することができる。そして、支持部材により支持されるステップは、手前側および奥側の端部が支持され得ることとなり、安定したステップを有する階段を構築することができる。また、支持部材には複数の貫通孔が設けられていることから、ステップを構成するステップ基部の立設部および垂下部との取付位置を調整し得る。
【００１０】
また、本発明は、法面に刺し込んで固定される支持部材と、この支持部材によって支持されるステップと、このステップを上記支持部材に取り付けるための取付部材とで構成された法面設置用階段であって、上記ステップは、該ステップの幅方向に適宜間隔で配置された二以上のステップ基部と、このステップ基部によって支持されてなるステップ面部と、このステップ面部を上記ステップ基部に装着するための装着部材とからなるステップであり、上記ステップ基部は、上記ステップの奥行き方向に所定長さを有するとともに、長手方向に整列して設けられた複数の貫通孔を有するステップ面当接部と、このステップ面当接部の一端を上向きに折曲してなる立設部と、該ステップ面当接部の他端を下向きに折曲してなる垂下部と、上記立設部および垂下部のそれぞれに設けられた少なくとも１個の貫通孔とで構成され、上記ステップ面部には、上記ステップ面当接部に設けられる複数の貫通孔のいずれかに連続する貫通孔が設けられ、上記装着部材は、上記ステップ面当接部の貫通孔およびステップ面部の貫通孔を同時に挿通する装着部材であり、上記支持部材は、上下方向に整列してなる複数の貫通孔が設けられた支持部材であり、上記取付部材は、上記立設部および垂下部の貫通孔ならびに支持部材の貫通孔を同時に挿通する取付部材であることを特徴とする法面設置用階段をも要旨としている。
【００１１】
上記のような構成であれば、支持部材によるステップの支持が強固になされることはもちろん、ステップ面部をステップ基部に連続し得る構成であるので、ステップ面部の交換を可能にし、また、階段構築時には、ステップ基部のみを支持部材に取り付けた後、ステップ面部を装着させることができる。
【００１２】
この発明において、前記装着部材および取付部材として、貫通ボルトおよびこれに螺合するナットで構成されてなる装着部材および取付部材とすることができる。このような構成であれば、ステップ基部およびステップ面部に設けられる貫通孔に対して同時に貫通ボルトを装着することができ、同様に、支持部材およびステップ基部の立設部または垂下部に設けられた貫通孔に対しても同時に貫通ボルトを挿通し得ることとなる。
【００１３】
また、上記において、前記ステップ面当接部として、断面形状略Ｌ字形に成形され、その片方の平面を上向きにして配置してなるとともに、該平面に複数の貫通孔が長手方向に整列して設けられてなるステップ面当接部とすることができる。このような構成とすることによって、支持部材の中間に位置するステップ面部を支持するステップ面当接部の強度を増大させることができる。
【００１４】
さらに、上記各発明において、前記ステップ面部として、所定長さの木質角材を横長にしてなり、前記ステップ面当接部に当接されつつ前記ステップ基部により少なくとも二個所で支持されるとともに、該ステップ面当接部の貫通孔に連続する貫通孔を有してなるステップ面部とすることができる。このような構成であれば、ステップ面部は、少なくとも二個所で固定されて安定させることができる。また、場合によっては三個所で支持できるように３本のステップ基部を設ければ一層安定感のあるステップを構成することができる。
【００１５】
さらに、本発明は、法面に刺し込んで固定される支持部材と、この支持部材によって支持されるステップと、このステップを上記支持部材に取り付けるための取付部材と、上記ステップおよび支持部材の間に介在されてなるスペーサとで構成された法面設置用階段であって、上記ステップは、該ステップの幅方向に適宜間隔で配置された二以上のステップ基部と、このステップ基部によって支持されてなるステップ面部と、このステップ面部を上記ステップ基部に装着するための装着部材とからなり、上記ステップ基部は、上記ステップの奥行き方向に所定長さを有するとともに、長手方向に整列して設けられた複数の貫通孔を有するステップ面当接部と、このステップ面当接部の一端を上向きに折曲してなる立設部と、該ステップ面当接部の他端を下向きに折曲してなる垂下部と、上記立設部および垂下部のそれぞれに設けられた少なくとも１個の貫通孔とで構成され、上記ステップ面部は、所定長さの木質角材を横長にして構成されたステップ面部構成部と、このステップ面部構成部を貫通しつつ上記ステップ面当接部の貫通孔のいずれかに連続する貫通孔とで構成され、上記装着部材は、上記ステップ面当接部の貫通孔およびステップ面部の貫通孔を同時に挿通する貫通ボルトと、このボルトに螺合するナットとで構成され、上記支持部材は、上下方向に整列してなる複数の貫通孔が設けられた支持部材であり、上記取付部材は、上記立設部および垂下部の貫通孔ならびに支持部材の貫通孔を同時に挿通する貫通ボルトと、このボルトに螺合するナットとからなる取付部材であり、前記スペーサは、木質角材を横長にして上記ステップ基部の立設部と取付部材との間に介在してなるスペーサであることを特徴とする法面設置用階段を要旨とする。
【００１６】
上記の構成によれば、支持部材とステップの間にスペーサが介在されているため、当初予定した奥行き寸法のステップを使用しつつ、当該奥行き寸法を延長してなるステップを構成することができる。このとき、支持部材にステップを取り付ける取付部材に貫通ボルトを使用するため、スペーサによって離間した両者の取り付けを可能にすることができる。そして、その取付状態は、スペーサを介在させない場合と同様の構造であるから、スペーサの有無によって差異がないものとなる。
【００１７】
上記発明において、前記支持部材として、断面形状略Ｌ字形のアングル材の長手方向を上下にしてなり、少なくとも片面には上下方向に整列してなる複数の貫通孔が設けられた支持部材とすることができる。この種の支持部材を使用すれば、直交する二つの平面が法面に刺し込まれることとなり、支持部材に対する横向きの外力に対して立設状態を維持し得る。また、貫通孔が設けられた面を使用してステップを取り付けることができることから、両面に貫通孔を設ける場合には、いずれの面をも使用することができる。そして、両面において、貫通孔の間隔を異ならせて設ければ、設置すべき法面の状況に応じて選択的に使用することが可能となる。
【発明の効果】
【００１８】
本発明によれば、法面に刺し込まれた支持部材に対して、取付部材を使用して支持部材にステップ基部を取り付けることにより、簡単に階段を構築することができる。そして、支持部材に設けられる複数の貫通孔から、ステップを水平にすることができる貫通孔を選択することができるので、階段構築現場において、突発的な変更を要する場合にも対応し得ることとなる。
【００１９】
また、ステップ面部をステップ面当接部に装着可能に構成することにより、必ずしもステップ全体を事前に製造しておく必要はなく、工場における生産状況が階段構築の工事に与える影響を少なくすることができる。さらに、ステップ面部のみを交換し得ることから、ステップ面部を木質材料で構成した場合、その木質材料が腐食等により修理を必要とする状態となった場合であっても十分に対応できるものである。
【００２０】
そして、支持部材にステップを取り付けるための取付部材、および、ステップ構成させるためにステップ面当接部にステップ面部を装着する装着部材が、貫通ボルトおよびナットによって構成されているので、各部材の取付および装着が極めて容易となる。しかも、各部材を交換する場合においても、その取り外しが容易となるから作業を簡便に行い得るものとなる。
【００２１】
また、ステップ面部に木質角材を使用してなる本発明によれば、金属以外の材料で構成される部材を使用することができ、この木質角材に間伐材を使用することも可能となる。しかも、ステップ面部を木質とするから、階段を設置すべき法面の表面の状態、例えば、撤去できない岩等が存在するなどの状況により、ステップ面部が水平に設けられない場合であっても、設置現場においてステップ面部の一部を切除することができるので、法面の状況に対応させつつ階段の設置が可能となる。
【発明を実施するための最良の形態】
【００２２】
以下、本発明の実施の形態を図面に基づいて説明する。第一の実施形態は、図１および図２に示すように、支持部材１，２、ステップ３および取付部材４，５で構成されている。支持部材１，２は、断面Ｌ字形のアングル材によって構成され、このアングル材の片面１０ａ，２０ａに複数の貫通孔１１，１２・・・，２１，２２・・・が設けられている。支持部材１，２を法面Ａに固定する際には、長手方向を鉛直に向けて刺し込み、上記片面１０ａ，２０ａが法面Ａの傾斜方向に向かうように調整される。
【００２３】
ステップ３は、少なくとも２個のステップ基部６にステップ面部７が装着部材８によって装着されている。ステップ基部６は、ステップ面当接部６１と、その両端を折曲してなる立設部６２および垂下部６３とで構成され、ステップ面当接部６１は、ステップとして必要な奥行き寸法の長さを有して構成されている。また、立設部６２および垂下部６３には、少なくとも１個の貫通孔６４，６５が穿設されており、取付部材４，５を構成するボルト４１，５１が挿通できるようになっている。
【００２４】
取付部材４，５は、上述のボルト４１，５１と、これに螺合するナット４２，５２とで構成され、このボルト４１，５１を上述の立設部６２および垂下部６３に設けた貫通孔６４，６５を挿通させるとともに、支持部材１，２の貫通孔１１，２１を同時に挿通させ、ナット４２，５２を締め付けることによって、支持部材１，２にステップ基部６を取り付けることができるようになっている。
【００２５】
ここで、本実施形態のステップ３は、図３に示すように、長尺な金属製板材によって構成された２本のステップ基部６に対して、ステップ面部７が装着されてなるものが使用されている。このステップ面部７は、木質角材を横長にしてなる３本のステップ面部構成部７ａ，７ｂ，７ｃによって構成されており、木質角材として間伐材が利用されている。ステップ基部６を構成するステップ面当接部６１には、ステップ面部７が当接する位置に貫通孔６６，６７，６８が穿設されており、他方、ステップ面部７を形成する各ステップ面部構成部７ａ，７ｂ，７ｃの両端付近にも同様に貫通孔７１，７２が穿設されている。そこで、比較的長尺な貫通ボルト８１を使用し、上記ステップ面部構成部７ａ，７ｂ，７ｃの貫通孔７１，７２と、ステップ面当接部６１の貫通孔６６，６７，６８とを同時に挿通し、その先端にナット８２を螺合させることによって、各ステップ面部構成部７ａ，７ｂ，７ｃをそれぞれステップ基部６に装着することができるようになっているのである。上記貫通ボルト８１およびナット８２によって、上述の装着部材８が構成されているのである。
【００２６】
なお、ステップ面当接部６１に設けられる貫通孔６６，６７，６８と、ステップ面部構成部７ａ，７ｂ，７ｃに設けられる貫通孔７１，７２は、それぞれ所定の位置に設けられ、一対一の関係にあるが、法面の多様な状況に対応すべく、複数の貫通孔を所定のピッチで設けておき、それらの中から対応する貫通孔を選んで使用することによる場合も考えられる。
【００２７】
次に、本実施形態の使用態様について説明する。図４に示すように、法面Ａに支持部材１，２を差し込み、これによってステップ３を支持するものである。支持部材１，２およびステップ３は、傾斜する法面Ａの道路側（低い位置）から順次山頂側（高い位置）に移動しつつ構築される。すなわち、図４（ａ）に示すように、法面Ａの最も低い位置に第一番目の支持部材１を法面１に差し込み、さらに第二番目の支持部材２をステップ３の奥行き寸法分だけの距離を有して法面Ａに刺し込むのである。この状態において、図４（ｂ）に示すように、両支持部材１，２の中間にステップ３を配置し、かつ、図４（ｃ）に示すように、取付部材４，５により取り付けるのである。
【００２８】
第一番目の支持部材１とステップ３との取り付けは、図４（ｂ）に示すように、ステップ３を構成するステップ基部６の垂下部６３を第一番目の支持部材１に当接させ、取付部材１の上方の貫通孔１１（図１）と、垂下部６３の貫通孔６５（図１）とを一致させるとともに、両貫通孔１１，６５に貫通ボルト４１を挿通させることによるものである。なお、支持部材１には複数の貫通孔１１，１２（図１）が穿設されており、ステップ３を設けるべき高さに合致する位置の貫通孔を選択することができる。ここで、最上位の貫通孔１１を選択することによって、支持部材１の上端がステップ３から上方に突出することがないので好適である。この場合、支持部材１の片面１０ａの表側に垂下部６３を当接させることも可能である。このような当接状態とすれば、支持部材１の上端が、ステップ基部６のステップ面当接部６１によって覆われることとなり、金属製である支持部材１の切断部端面を被覆することができる。
【００２９】
また、第二番目の支持部材２とステップ３との取り付けについても、ステップ基部６の立設部６２を第二番目の支持部材２に当接させ、この支持部材２の貫通孔２１（図１）と、立設部６２の貫通孔６４（図１）とを一致させるとともに、両貫通孔２１，６４貫通ボルト５１を挿通させるのである。ここで、第二番目の支持部材２には、複数の貫通孔２１，２２（図１）が設けられているが、これらの中から、立設部６２の貫通孔６４と一致させるとき、ステップ３の上面が水平となり得る高さのものを選択するのである。つまり、法面Ａに刺し込まれた支持部材２は、その下端は地中に埋没されているため、仮に、当該埋没部分に貫通孔が設けられていても当該貫通孔を使用することができない。そこで、第二番目の支持部材２を法面Ａに刺し込んだ状態において、その法面Ａから地表に露出する部分に設けられる貫通孔のうち、下方に位置する貫通孔２１，２２が選択されることとなる。
【００３０】
なお、ステップ３の上面が水平となるように立設部６２の位置が調整され、その際、第二番目の支持部材２に設けられる複数の貫通孔２１，２２のうち、いずれを選択するかは、上記第一番目の支持部材１に取り付けられる垂下部６３の位置や法面Ａの傾斜角度などの諸条件によって異なることとなるが、法面Ａに最も接近する最下位の貫通孔２１を使用できるように、第一および第二の支持部材１，２の差し込み量を調整することが好ましい。
【００３１】
上記のようにして一段目のステップ３を固定した後、第三番目の支持部材を法面Ａに刺し込んで次順位のステップ３を固定することによって（図４（ｃ）の一点鎖線部分参照）、順次ステップ３を連続的に法面Ａに設置し、全体として階段を構成することができるのである。この次順位のステップ３を設置する場合は、図４（ａ）に一点鎖線で示すように、第二番目の支持部材を第一番目の支持部材１とし、第三番目の支持部材を第二番目の支持部材２として、上述と同様に両支持部材１，２の中間に設けることによるものである。
【００３２】
他の使用形態について説明すれば、図５に示すように、ステップ３を構成するステップ面部７を後から設置する場合がある。支持部材１，２は、の設置は、上記の場合と同様であり（図５（ａ））、両支持部材１，２の中間にステップ面部７を装着させない状態のステップ基部６のみを取り付け（図５（ｂ））、最後にステップ面部７を装着するのである（図５（ｃ））。
【００３３】
このような使用態様によれば、ステップ３を事前に構成することなく、階段設置現場において階段の全てを構築することができるものとなる。そして、図６に示すように、ステップ基部６に装着すべきステップ面部７（ステップ面部構成部７ａ，７ｂ，７ｃ）が木質角材であれば、その一部を切除することができ、例えば、図示のように、容易に撤去できない岩Ｘを避けてステップ３を設ける必要性がある場合には、その部分に対応するステップ面部構成部７ｃを容易に切断することも可能となる。
【００３４】
さらに、上記いずれの使用態様による場合においても、２本を一対にしてなる支持部材１，２を鉛直方向に対して、それぞれ正面視斜状にして法面Ａに刺し込むことにより、支持部材１，２の上端の高さを揃えつつ法面Ａの斜面に対して斜状に立設することができ、この状態において、下位のステップ３ａよりも斜面の斜め上方に次のステップ３を設置することができることとなる。さらに、その上方のステップ３ｂも同様に斜め上方に設置することができることとなるから、大きな障害物Ｘを避けつつ階段を構成することが可能となる。そして、障害物Ｘを避けた後は、次の支持部材（一点鎖線部分）を鉛直方向に設けることによって、通常の方向に（法面Ａの斜面に沿った方向に）向かって階段を構築し得ることとなる。
【００３５】
次に、第二の実施形態について説明する。本実施形態は、図８に示すように、基本的には、第一の実施形態を構成する支持部材１，２およびステップ３で構成されるものであるが、ステップ３のステップ基部を構成する立設部６２と、第二番目の支持部材２との間に、スペーサ９を介在させるように構成したものである。このスペーサ９は、図９に示すような比較的緩斜面の法面Ａにおいて、各ステップ３の段差Ｈを十分なものとするために設けられるものである。すなわち、第一番目の支持部材１と第二番目の支持部材２との間隔を広めに設けることにより、法面Ａに十分に刺し込みつつ、所望の段差Ｈに必要な高さの支持部材を設けることができ、このときの拡張した間隔に相当する幅のスペーサ９が使用されるのである。当該スペーサ９の幅寸法は、上記拡張した間隔に応じて種々のものを使用することができるが、例えば、ステップ面部７を構成するステップ面部構成部と同様の木質角材をスペーサ９として代用することができる。
【００３６】
次に、第三の実施形態について説明すれば、図１０に示すように、ステップ基部１０６を構成するステップ面当接部１６１を断面Ｌ字形の部材で構成するものである。このステップ面当接部１６１は、その上面に装着されるステップ面部７を支持し、さらに、階段を利用する者の体重をも支えるものであるから、十分な強度を必要とすることとなる。そこで、ステップ面当接部１６１をＬ字形部材で構成することにより、両側に配置される支持部材１，２によって両端を支持される部分の強度を増大させるのである。この場合、Ｌ字形の片側表面のみがステップ面部１０７に当接できる面として、当該表面に複数の貫通孔１６６，１６７，１６８を設け、ステップ面部１０７の装着を可能にするのである。なお、ステップ基部１０６の両端は、平板状とすることにより、立設部１６２および垂下部１６３を記述の立設部６２および垂下部６３と同様に構成することができる。
【００３７】
本発明の実施形態は上記のとおりであるが、本発明の趣旨を逸脱しない範囲で種々の態様をとることができる。例えば、上記各実施形態では、ステップ面部７が３本のステップ面部構成部７ａ，７ｂ，７ｃによって構成された形態のみを示したが、この本数に制限はなく、一体の板状部材によりステップ面部７を構成することができるほか、無数のステップ面構成部７１ａ，７ｂ，・・・により構成することも可能である。そして、各ステップ面構成部７ａ，７ｂ，・・・の間隙を有する形態（図１ないし図３など）、または、隙間なく設ける形態のいずれであってもよい。さらに、いずれの実施形態においても、一つのステップを構成するために二つのステップ基部６が使用され、また、これが取り付けられる支持部材１，２は第一番目１および第二番目２のいずれも２本を一対として使用しているが、他の構成部材の機能を害さない範囲で増加させることができる。
【００３８】
また、支持部材１，２に設けられる複数の貫通孔１１，１２，２１，２２、および、ステップ面当接部６１，１６１に設けられる複数の貫通孔６６，６７，６８，１６６，１６７，１６８は、いずれも個別の貫通孔として図示し、かつ、説明しているが、図１１（ａ）および（ｂ）に示すように、これらの貫通孔の中心間ピッチを極端に短くすることにより、連続する貫通孔となるように構成することができる。この場合には、支持部材１，２にステップ基部６，１０６を取り付ける高さ、または、ステップ面部７，１０７の装着位置が、細かなピッチで調整することができ、階段の設置現場において、上記高さまたは位置を調整することができる。
【００３９】
さらに、ステップ面当接部６，１０６の立設部６２、１６２に設けられる貫通孔６４，１６４および垂下部６３，１６３に設けられる貫通孔６５，１６５についても、図１１（ｃ）に示すように、複数の貫通孔６４ａ，６４ｂ（，１６４ａ，１６４ｂ），６５ａ，６５ｂ（，１６５ａ，１６５ｂ）を設ける構成とすることができる。このような構成とする場合には、使用の際に先に立設される支持部材１，２に対し、ステップ面当接部６，１０６を取り付ける位置を調整することが可能となるから、一層微妙な調整が実現できる。
【００４０】
また、上記第三の実施形態におけるスペーサ９をブラケットとして機能させる態様がある。すなわち、階段の設置方向を法面Ａの傾斜方向に対して斜状にして階段を構築する場合は、専ら図７に示すように、支持部材１，２を傾斜させて構築することとなるが、図１２に示すように、スペーサ９をブラケットとして機能させることによって、支持部材１，２を設置すべき位置を法面Ａの傾斜方向に直交する方向へ移動させつつステップ３を連続して設けることが可能となる。さらに、このスペーサ９を薄肉で構成すれば、ブラケット専用の部材を構成することとなり得る。
【図面の簡単な説明】
【００４１】
【図１】本発明の第一の実施形態を示す分解斜視図である。
【図２】本発明の第一の実施形態を示す説明図である。
【図３】第一の実施形態におけるステップの詳細図である。
【図４】第一の実施形態の使用態様を示す説明図である。
【図５】第一の実施形態の使用態様を示す説明図である。
【図６】第一の実施形態の使用態様を示す説明図である。
【図７】第一の実施形態の使用態様を示す説明図である。
【図８】本発明の第二の実施形態を示す説明図である。
【図９】第二の実施形態における使用状態を示す説明である。
【図１０】本発明の第三の実施形態を示す説明図である。
【図１１】他の実施形態を示す説明図である。
【図１２】他の実施形態を示す説明図である。
【図１３】従来の法面用階段を示す説明図である。
【符号の説明】
【００４２】
１，２  支持部材
３  ステップ
４，５  取付部材
６，１０６  ステップ基部
７  ステップ面部
８  装着部材
９  スペーサ（ブラケット）
１１，１２  貫通孔
２１，２２  貫通孔
４１，５１  貫通ボルト
４２，５２  ナット
６１，１６１  ステップ面当接部
６２，１６２  立設部
６３，１６３  垂下部
６４，６５  貫通孔
６６，６７，６８，１６６，１６７，１６８  貫通孔
８１  貫通ボルト
８２  ナット
Ａ  法面
Ｘ  岩（障害物）
【図１】
2006214122.tif 000003
【図２】
2006214122.tif 000004
【図３】
2006214122.tif 000005
【図４】
2006214122.tif 000006
【図５】
2006214122.tif 000007
【図６】
2006214122.tif 000008
【図７】
2006214122.tif 000009
【図８】
2006214122.tif 000010
【図９】
2006214122.tif 000011
【図１０】
2006214122.tif 000012
【図１１】
2006214122.tif 000013
【図１２】
2006214122.tif 000014
【図１３】
2006214122.tif 000015